(57)【要約】【課題】  建築材の表面の化粧面の一部が明るく光るようにすることができ、建築材の表面の明るく光る部分と明るく光らない部分との境界に隙間や段差ができないようにできる。【解決手段】  照明機能を有する建築材は、表面が化粧面１となったパネル本体２と、該パネル本体２の厚み方向において少なくとも表面が上記化粧面１よりなる表面側薄肉部３を残して形成された発光部収納用凹部４と、発光部収納用凹部４に収納される発光部５とを備えている。そして、本発明は、表面が上記化粧面１となった表面側薄肉部３が、上記発光部５の光の透過を可能とする光透過性を有している。【選択図】        図１
2010180563.tif 000002
【特許請求の範囲】
【請求項１】
表面が化粧面となったパネル本体と、該パネル本体の厚み方向において少なくとも表面が上記化粧面よりなる表面側薄肉部を残して形成された発光部収納用凹部と、発光部収納用凹部に収納される発光部とを備え、表面が上記化粧面となった表面側薄肉部が、上記発光部の光の透過を可能とする光透過性を有していることを特徴とする照明機能を有する建築材。
【請求項２】
表面側から見て、表面側薄肉部の周囲部を除いた中央部を光源による真の直射領域とするための規制手段を設けて成ることを特徴とする請求項１記載の照明機能を有する建築材。
【請求項３】
基材の裏面側から基材の表面側にかけて、表面側に薄肉残部を残して発光部収納用凹部となる穴を形成し、該基材の表面に、上記化粧面を形成するための化粧材を積層してパネル本体を形成し、薄肉残部と、化粧材の薄肉残部に対応する部位とで上記表面側薄肉部を構成して成ることを特徴とする請求項１又は請求項２記載の照明機能を有する建築材。
【請求項４】
基材に表裏に貫通する発光部収納用凹部となる貫通孔を形成し、該基材の表面に、上記化粧面を形成するための化粧材を積層してパネル本体を形成し、化粧材の発光部収納用凹部に対応する部位により上記表面側薄肉部が構成してあることを特徴とする請求項１又は請求項２記載の照明機能を有する建築材。
【発明の詳細な説明】
【技術分野】
【０００１】
本発明は、照明機能を有する建築材に関するものである。
【背景技術】
【０００２】
従来から、照明機能を有する床材が特許文献１により知られている。
【０００３】
この特許文献１に示された照明機能を有する床材（床パネル）は、避難誘導灯として使用する照明装置を備えたもので、通常の床材を敷設して構成する床の一部を、上記照明機能を有する床材で構成するようにしたものである。上記従来の照明機能を有する床材は、床パネルの主体を構成する床パネル本体に照明器具を配設し、床パネル本体の上面に取付ける投光カバーの一部に投光窓を形成し、この投光カバーの一部に形成した投光窓に強化ガラス製の投光板を保持させ、投光カバーの表面の上記投光窓を除く部分に床仕上げ材を配置したもので、強化ガラス製の投光板を介して照明装置からの光を照射して通行者を誘導するようにしている。
【先行技術文献】
【特許文献】
【０００４】
【特許文献１】特開２００５−３０７６２１号公報
【発明の概要】
【発明が解決しようとする課題】
【０００５】
しかしながら、特許文献１に示された照明機能を有する床材は、投光カバーの表面に配置した床仕上げ材に囲まれた部分である投光窓に強化ガラス製の投光板が露出しているので、照明装置の点灯、消灯に関係なく、床材の表面の一部に床仕上げ材とは異なる強化ガラス製の投光板が露出しており、床材表面において仕上げ材と強化ガラス製の投光板との境界に隙間や段差が生じるおそれがあり、床材として歩行性を悪くし、また、上記境界や隙間に塵が詰まって汚れるという問題があり、更に、表面の一部に強化ガラス製の投光板が露出することで、常時照明装置の存在が丸見えであり、床材表面の見栄えを悪くしていた。
【０００６】
本発明は上記の従来の問題点に鑑みて発明したもので、建築材の表面の化粧面の一部が明るく光るようにすることができ、建築材の表面の明るく光る部分と明るく光らない部分との境界に隙間や段差が発生しないようにでき、更に、表面の一部が光るようにしたにもかかわらず表面の見栄えを低下させることがない建築材を提供することを課題としている。
【課題を解決するための手段】
【０００７】
上記課題を解決するために、本発明は、以下のような構成となっている。
【０００８】
本発明の照明機能を有する建築材は、表面が化粧面１となったパネル本体２と、該パネル本体２の厚み方向において少なくとも表面が上記化粧面１よりなる表面側薄肉部３を残して形成された発光部収納用凹部４と、発光部収納用凹部４に収納される発光部５とを備えている。そして、本発明は、表面が上記化粧面１となった表面側薄肉部３が、上記発光部５の光の透過を可能とする光透過性を有していることを特徴とする。
【０００９】
このような構成とすることで、発光部５を点灯すると表面側薄肉部３を光が透過してパネル本体２の表面の化粧面１の一部が光る。また発光部５が消灯すると、パネル本体２の表面は化粧面１が見えるのみで、発光する部分と発光しない部分との区別がつかないようにできる。
【００１０】
また、表面側から見て、表面側薄肉部３の周囲部を除いた中央部を発光部５の光源５ａによる真の直射領域とするための規制手段６を設けることが好ましい。
【００１１】
このような構成とすることで、光が透過する表面側薄肉部３のうち表面側から見て周囲部を除いた中央部は光の透過量が多く、その周囲部は光の透過量の少ない領域とすることができ、これにより、表面の化粧面１の一部の光る部分（表面側薄肉部３の中央部分）と化粧面１の光らない部分との間にぼんやりと光る部分（表面側薄肉部３の周囲部分）が存在することになり、化粧面１の光る部分と光らない部分との境界がぼやけて発光部収納用凹部４の外周縁、つまり表面側薄肉部３の外周縁が強調されず、化粧面１自体が発光しているようなソフトな表現を創出することができる。
【００１２】
また、基材７に表裏に貫通する発光部収納用凹部４となる貫通孔９を形成し、該基材７の表面に、上記化粧面１を形成するための化粧材８を積層してパネル本体２を形成し、化粧材８の発光部収納用凹部４に対応する部位により上記表面側薄肉部３を構成することが好ましい。
【００１３】
このように、基材７に発光部収納用凹部４となる貫通孔９を形成し、該基材７の表面に化粧材８を積層することで、表面側薄肉部３を残した発光部収納用凹部４を有する表面が化粧面１となったパネル本体２を簡単に形成することができる。
【００１４】
また、基材７の裏面側から基材７の表面側にかけて、表面側に薄肉残部１０を残して発光部収納用凹部４となるくり抜き穴１１を形成し、該基材７の表面に、上記化粧面１を形成するための化粧材８を積層してパネル本体２を形成し、薄肉残部１０と、化粧材８の薄肉残部１０に対応する部位とで上記表面側薄肉部３を構成することが好ましい。
【００１５】
このように、基材７の裏面側から薄肉残部１０を残してくり抜き穴１１を形成し、該基材７の表面に化粧材８を積層することで、表面側薄肉部３を残した発光部収納用凹部４を有する表面が化粧面１となったパネル本体２を簡単に形成することができる。また、薄肉残部１０により補強ができて、化粧材８として薄いものを使用することが可能となる。
【発明の効果】
【００１６】
本発明は、上記のように表面が上記化粧面となった表面側薄肉部が、発光部の光の透過を可能とする光透過性を有しているので、発光部を点灯することで、パネル本体の表面の化粧面自体の一部が光るようにでき、このように化粧面の一部が光るので従来のように表面の光る部分と光らない部分との境界に段差が生じたり、隙間が生じたりしない。また、発光部を消灯することで、上記化粧面の一部の発光部分が消え、表面の他の部分と区別がつかず、発光部の存在が表面側から分からず、建築材としての表面の見栄えが低下しない。
【図面の簡単な説明】
【００１７】
【図１】（ａ）はは本発明の照明機能を有する建築材の図２のＸ−Ｘ線部分の拡大断面図であり、（ｂ）は透光部の一実施形態の平面図であり、（ｃ）は（ｂ）のＹ−Ｙ線の断面図である。
【図２】同上の照明機能を有する建築材の斜視図である。
【図３】同上の施工状態を示す断面図である。
【図４】同上の裏材を積層一体化した例の断面図である。
【図５】（ａ）（ｂ）はそれぞれ本発明の他の実施形態の断面図である。
【図６】（ａ）（ｂ）はそれぞれ本発明の更に他の実施形態の断面図である。
【図７】（ａ）（ｂ）（ｃ）（ｄ）（ｅ）はそれぞれ本発明の薄肉残部を設けた各例を示す断面図である。
【発明を実施するための形態】
【００１８】
以下、本発明を添付図面に示す実施形態に基いて説明する。
【００１９】
本発明の照明機能を有する建築材１２は、発光部収納用凹部４を有するパネル本体２と、発光部収納用凹部４内に収納される発光部５を備えている。
【００２０】
発光部収納用凹部４はパネル本体２の厚み方向において少なくとも表面が上記化粧面１よりなる表面側薄肉部３を残して形成されたものであり、この表面側薄肉部３は発光部収納用凹部４内に収納された発光部５の光が透過可能となっている。
【００２１】
図１に示す実施形態においては、合板、パーティクルボード、ＭＤＦ、ＨＤＦ、ＯＳＢ等の板状をした基材７に表裏に貫通する貫通孔９を形成し、該基材７の表面に光透過性を有する薄い突板や化粧シート等の薄板状又はシート状の化粧材８を積層一体化してパネル本体２を形成してある。本実施形態においては、基材７に設けた貫通孔９が発光部収納用凹部４となり、化粧材８の発光部収納用凹部４に対応する部位が発光部５の光の透過を可能とする表面側薄肉部３となっている。
【００２２】
パネル本体２には基材７の裏面に裏材１３を積層一体化する場合と、裏材１３を設けない場合とがある。
【００２３】
パネル本体２の裏面に裏材１３を積層一体化して建築材１２を構成する場合は、発光部収納用凹部４内に収納される発光部５は裏材１３に取付けられる。この実施例の建築材１２は、図４のように、裏材１３、基材７、化粧材８が一体化され且つ内部の発光部収納用凹部４内に発光部５を収納した建築パネルとして構成され、床材、壁材、天井材、階段用の建材、框材、幅木や廻縁等の縁材等として使用する。
【００２４】
一方、基材７の裏面に裏材１３を設けない場合は、建築材１２は、裏材１３を設けないパネル本体２と、これとは別体の発光部５とのセットとして構成されるもので、図３のように、床下地、壁下地、天井下地等の建物の内装用下地材、あるいは外装用下地材等の下地材１４の表面の所定位置に発光部５を取付け、更に、パネル本体２の裏面側に開口する発光部収納用凹部４内に上記発光部５が位置するように、下地材１４の表面に上記裏材１３を設けないパネル本体２を取付けるようになっている。
【００２５】
なお、図示を省略しているが、基材７の裏面に裏材１３を積層一体化する場合であっても、前述の基材７に形成する貫通孔９やくり抜き穴１１が裏材１３部分に開口するように形成してある場合は、上記裏材１３を設けない場合と同様にして施工する。
【００２６】
上記いずれの場合も、表面側から見て、表面側薄肉部３の周囲部を除いた中央部を発光部５の光源５ａによる真の直射領域Ｍとするための規制手段６を設けてある。
【００２７】
図１、図５（ａ）、（ｂ）に示す実施形態においては、表面側薄肉部３の裏面側に集光部材１５を重ねて配置して規制手段６が構成してある。規制手段６となる集光部材１５は、ポリプロピレン、ポリエチレン、アクリル、ＡＢＳ、ポリアセタール等の合成樹脂製の透明又は半透明の板状の透光部１６の裏面に中央部が光を通す通光部１７となった遮光部１８を設けて構成してある。
【００２８】
図１、図５（ｃ）に示す実施形態では、透光部１６の裏面に、中央部に通光部１７となる開口を設けた非透光性の遮光板、遮光シートを貼着して遮光部１８を形成した例である。また、図５（ｂ）の実施形態では、透光部１６の裏面に、印刷により光を通さない遮光部１８と、光を通す通光部１７を形成するようにしてある。また、上記透光板、透光シートを貼着する例の場合、透光板、透光シートに印刷により光を通さない遮光部１８と、光を通す通光部１７を形成するようにしてもよい。また、印刷をするに当たって、グラデーション印刷により透光部１６はより多くの光を通過させ、その周囲部の遮光部１８は光の通過量が少なくなるようにしてもよい。
【００２９】
いずれにせよ上記の実施形態においては、発光部５の光源５ａから照射される光は、遮光部１８により規制され、中央部の通光部１７から透光部１６に進入して表面側薄肉部３を光らせる。
【００３０】
この場合、遮光部１８の中央部の通光部１７の周囲の各点と発光部５の光源５ａとを結ぶ線Ｌの延長線がそれぞれ表面側薄肉部３と交わる点を結ぶ環状の仮想線で囲まれた領域が、表面側薄肉部３における発光部５の光源５ａの広がり領域、つまり、表面側薄肉部３における発光部５の光源５ａによる真の直射領域Ｍとなっている。発光部５を点灯すると、表面側薄肉部３は透光性を有しているので全体が光るが、この表面側薄肉部３の光り方は、表面側薄肉部３における発光部５の光源５ａの真の直射領域Ｍは光量が多くて明るく光り、その周囲部は発光部５の光源５ａの真の直射領域Ｍでないので、透光部１６中で屈折したり、反射したりした光の一部でぼんやりと光る領域Ｎとなる。しかも、直射領域Ｍの周囲のぼんやりと光る領域Ｎである外周部は表面側薄肉部３の外周端に近づくほど光り方がぼんやりとなる。
【００３１】
このように、発光部５の光源５ａからの光を規制手段６で規制して、表面側薄肉部３の中央部は光の透過量が多くて明るく光り、その周囲は光の透過量が少なくてぼんやりと光るようにすることで、表面の化粧面１の一部の明るく光る部分（表面側薄肉部３の中央部分）と化粧面１の光らない部分との間にぼんやりと光る部分（表面側薄肉部３の周囲部分）が存在することになる。これにより、化粧面１の一部の明るく光る部分と全く光らない部分との境界がぼやけて発光部収納用凹部４の外周縁、つまり表面側薄肉部３の外周縁が強調されず、化粧面１自体が発光しているようなソフトな表現を創出することができる。
【００３２】
ここで、図１の実施形態においては、透光部１６の裏面の通光部１７と向かい合った部分を凹ませて他の部分よりも薄くなるようにすることで、透光部１６の薄肉となった部分は厚肉の部分に比べて光が通りやすく、したがって、表面側薄肉部３の中央部を周囲よりもより一層明るく光らせることができる。このように透光部１６の裏面の通光部１７と向かい合った部分を凹ませて他の部分よりも薄く形成するに当たり、図１のように表面側薄肉部３の裏面の中央部を断面弧状となるように凹ませることで、表面側薄肉部３の中央部の明るく光る領域の外周端とその周囲部のぼんやりと光る領域Ｎの内周端との境界の明るさの差をできるだけ小さくして境界が目立たないようにする。
【００３３】
図１（ｂ）（ｃ）は透光部１６の形状、サイズの一例を示しており、図１（ｂ）は透光部１６の下面図であり、図１（ｃ）は図１（ｂ）のＹ−Ｙ線の断面図である。図１（ｃ）においてαは裏面の凹みの径を示し、βは透光部１６の厚みを示し、γは透光部１６の最薄肉部分の厚みを示している。そして、上記α、βはいずれも１ｍｍ以上とし、γは０．５ｍｍ以上とする。
【００３４】
また、上記の各実施形態のように、表面側薄肉部３の裏面側に集光部材１５を重ねて配置して規制手段６を構成したものにおいては、表面側薄肉部３を裏面側から補強できる。したがって、この実施形態では規制手段６が、発光部５の光源５ａから表面側薄肉部３を照射する際の光の規制を行う役目と、表面側薄肉部３の補強を行う役目を兼用している。
【００３５】
規制手段６としては上記実施形態にのみ限定されるものではない。図６（ａ）（ｂ）にはそれぞれ規制手段６の他の実施形態が示してある。
【００３６】
図６（ａ）に示す実施形態は、発光部５の光源５ａの周囲に筒状の衝立部１９を設けた例である。本実施形態においては、衝立部１９の先端の周囲の各点と発光部５の光源５ａとを結ぶ線の延長線がそれぞれ表面側薄肉部３と交わる点を結ぶ環状の仮想線で囲まれた領域が、表面側薄肉部３における発光部５の光源５ａの広がり領域、つまり、表面側薄肉部３における発光部５の光源５ａによる真の直射領域Ｍとなっている。
【００３７】
本実施形態においても、発光部５を点灯すると、表面側薄肉部３は透光性を有しているので全体が光るが、この表面側薄肉部３の光り方は、表面側薄肉部３における発光部５の光源５ａの真の直射領域Ｍである中央部は光量が多くて明るく光り、その周囲部は発光部５の光源５ａの真の直射領域でないので、透光部１６中で屈折したり、反射したりした光の一部で薄ぼんやりと光る領域Ｎとなる。
【００３８】
したがって、本実施形態においても発光部５の光源５ａからの光を規制手段６である衝立部１９により規制して、表面側薄肉部３の中央部は光の透過量が多くて明るく光り、その周囲は光の透過量が少なくてぼんやりと光るようにして、表面の化粧面１の一部の明るく光る部分（表面側薄肉部３の中央部分）と化粧面１の光らない部分との間にぼんやりと光る部分（表面側薄肉部３の周囲部分）が存在することになる。これにより、化粧面１の一部の明るく光る部分と全く光らない部分との境界がぼやけて発光部収納用凹部４の外周縁、つまり表面側薄肉部３の外周縁が強調されず、化粧面１自体が発光しているようなソフトな表現を創出することができる。
【００３９】
また、図６（ｂ）には更に他の実施形態が示してある。本実施形態においては、発光部５自体に光源５ａから光が照射される方向を規制するための図示を省略した規制手段が設けた例である。この実施形態においては、規制手段で規制された光源５ａからの照射される光を規制して、表面側から見て表面側薄肉部３の中央部が表面側薄肉部３における発光部５の光源５ａの広がり領域、つまり、表面側薄肉部３における発光部５の光源５ａによる真の直射領域Ｍとなっている。
【００４０】
本実施形態においても、発光部５を点灯すると、表面側薄肉部３は透光性を有しているので全体が光るが、この表面側薄肉部３の光り方は、表面側薄肉部３における発光部５の光源５ａの真の直射領域Ｍである中央部は光量が多くて明るく光り、その周囲部は発光部５の光源５ａの真の直射領域でないので、透光部１６中で屈折したり、反射したりした光の一部で薄ぼんやりと光る領域Ｎとなる。
【００４１】
この本実施形態においても表面側薄肉部３の中央部は光の透過量が多くて明るく光り、その周囲は光の透過量が少なくてぼんやりと光り、表面の化粧面１の一部の明るく光る部分（表面側薄肉部３の中央部分）と化粧面１の光らない部分との間にぼんやりと光る部分（表面側薄肉部３の周囲部分）が存在し、化粧面１の一部の明るく光る部分と全く光らない部分との境界がぼやけて発光部収納用凹部４の外周縁、つまり表面側薄肉部３の外周縁が強調されず、化粧面１自体が発光しているようなソフトな表現を創出することができる。
【００４２】
次に、図７（ａ）（ｂ）（ｃ）（ｄ）（ｅ）にはそれぞれ本発明の更に他の実施形態が示してある。
【００４３】
図７（ａ）（ｂ）（ｃ）（ｄ）（ｅ）に示す実施形態は表面側薄肉部３の構成が前述の各実施形態と異なるのみで、他の構成は前述の各実施形態と同様である。
【００４４】
すなわち、図７（ａ）の実施形態は、表面側薄肉部３の構成が異なるのみで他の構成は図１に示す実施形態と同様である。また、図７（ｂ）に示す実施形態は、表面側薄肉部３の構成が異なるのみで他の構成は図５（ａ）に示す実施形態と同様である。また、図７（ｃ）に示す実施形態は、表面側薄肉部３の構成が異なるのみで他の構成は図５（ｂ）に示す実施形態と同様である。また、図７（ｄ）に示す実施形態は、表面側薄肉部３の構成が異なるのみで他の構成は図６（ａ）に示す実施形態と同様である。図７（ｅ）に示す実施形態は、表面側薄肉部３の構成が異なるのみで他の構成は図６（ｂ）に示す実施形態と同様である。
【００４５】
したがって、同じ構成については説明を省略し、異なる構成である表面側薄肉部３について以下説明する。
【００４６】
前述の各実施形態ではいずれも、基材７に貫通孔９を設けて発光部収納用凹部４を形成したが、図７（ａ）（ｂ）（ｃ）（ｄ）（ｅ）に示す実施形態は、合板、パーティクルボード、ＭＤＦ、ＨＤＦ、ＯＳＢ等の板状をした基材７に裏面側から表面側にかけて、表面側に薄肉残部１０を残して発光部収納用凹部４となるくり抜き穴１１を形成し、該基材７の表面に、化粧面１を形成するための化粧材８を積層してパネル本体２を形成してある。
【００４７】
この実施形態においては、基材７に設けたくり抜き穴１１が発光部収納用凹部４となっている。また、上記薄肉残部１０、化粧材８はいずれも発光部５の光の透過を可能としており、この薄肉残部１０と、化粧材８の薄肉残部１０に対応する部位とで上記表面側薄肉部３が形成してある。
【００４８】
図７（ａ）（ｂ）（ｃ）（ｄ）（ｅ）に示す実施形態は前述の対応する各実施形態と同様の作用効果を有しているが、これに加え、薄肉残部１０により補強ができて、化粧材８として薄いものを使用することが可能となる。
【００４９】
上記いずれの実施形態にあっても、本発明の照明機能を有する建築材は、既に述べたように床材、壁材、天井材、階段用の建材、框材、幅木や廻縁等の縁材等として使用するのであるが、発光部５を点灯しない場合は、建築材の表面は、床材、壁材、天井材、階段用の建材、框材、幅木や廻縁等の縁材等としての表面の化粧面１のみが見えるのみで、発光する部分と発光しない部分との区別がつかず、床材、壁材、天井材、階段用の建材、框材、縁材としての外観を損なわないようになっている。
【００５０】
また、発光部５を点灯すると、表面側薄肉部３を光が透過して床材、壁材、天井材、階段用の建材、框材としての表面の化粧面１自体の一部が光り、照明器具が表面に露出するもののように外観を低下させることがなく、また、光る部分と光らない部分との境界に段差や隙間が生じたりすることもなく、床材、壁材、天井材、階段用の建材、框材、縁材等としての本来の機能を損なわない。
【００５１】
そして、前述のように規制手段６を設けることで、化粧面１の光る部分と光らない部分との境界がぼやけて表面側薄肉部３の外周縁が強調されず、化粧面１自体が発光しているようなソフトな表現を創出することができる。
【００５２】
本発明の照明機能を有する建築材１２を、床材、壁材、天井材、階段用の建材、框材、縁材等として用いた場合、発光部５を点灯して表面の化粧面１自体の一部を光らせることで、従来にない新しい照明形態が提供できてインテリア性が向上するのであるが、例えば、通行者の誘導などとしても使用できる。この場合、図２に示すように、表面の化粧面１自体が光る部位を化粧面１に間隔を隔てて複数設けると、より通行者の誘導効果が向上する。もちろん、誘導灯以外の種々の使用が可能である。
【符号の説明】
【００５３】
１  化粧面
２  パネル本体
３  表面側薄肉部
４  発光部収納用凹部
５  発光部
６  規制手段
７  基材
８  化粧材
９  貫通孔
１０  薄肉残部
１１  くり抜き穴
【図１】
2010180563.tif 000003
【図２】
2010180563.tif 000004
【図３】
2010180563.tif 000005
【図４】
2010180563.tif 000006
【図５】
2010180563.tif 000007
【図６】
2010180563.tif 000008
【図７】
2010180563.tif 000009